(57)【要約】【課題】支脚を折り畳んで蔵置したり搬送する場合での占有空間を従来のものと比べて少なくすることができ、更に、積み重ね状態において、天板相互の隙間をほとんど無くし、かつ、天板の表面側から見た場合に支脚が天板で隠れるようにして、見栄えを良くする。【解決手段】天板２に支脚３を折り畳み可能に備えたテーブル１において、天板２における支脚３が折り畳まれる側の縁部Ａに、裏面側が開放された脚収納空間５を形成し、該脚収納空間５内に支脚３を折り畳んで収納する。前記脚収納空間５を、天板の端面を裏面側が内側へくぼんだ傾斜面４にして形成し、支脚３の横断面形状を、前記脚収納空間５に収まる形状に形成する。【選択図】          図３
2004242721.tif 000002
【特許請求の範囲】
【請求項１】
天板に支脚を折り畳み可能に備えたテーブルにおいて、天板における支脚が折り畳まれる側の縁部に、裏面側が開放された脚収納空間を形成し、該脚収納空間内に支脚を折り畳んで収納するようにしたことを特徴とするテーブル。
【請求項２】
前記脚収納空間を、天板の端面を裏面側が内側へくぼんだ傾斜面にして形成し、支脚の横断面形状を、前記脚収納空間に収まる形状に形成した請求項１記載のテーブル。
【請求項３】
前記脚収納空間の横断面形状と前記支脚の横断面形状を、三角形にした請求項２記載のテーブル。
【発明の詳細な説明】
【０００１】
【発明の属する技術分野】
本発明はテーブルに関する。
【０００２】
【従来の技術】
従来、脚折れテーブルにおいて、図８に示すように、天板１０１の裏面の前後部に補強パイプ１０２を固着し、該補強パイプ１０２の端部に支脚１０３の上端をピン１０４により回転可能に連結し、テーブルの使用時には支脚１０３を実線に示すように起立させ、蔵置や搬送時には支脚１０３を鎖線に示すように、前記補強パイプ１０２の裏面に重合状態に折り畳むようにしたものが一般的である。
【０００３】
【発明が解決しようとする課題】
前記従来の構造においては、支脚１０３を図８の鎖線に示すように折り畳んだ場合のテーブル全体の厚みＴは、天板１０１の板厚ｔ１と、補強パイプ１０２の表裏方向の厚みｔ２と支脚１０３の表裏方向の厚みｔ３の総計となり、その厚みＴは大きくなる。
【０００４】
そのため、蔵置などにおいて、図９に示すように、複数のテーブルを、各テーブルの支脚１０３を折り畳んで積み重ねた場合、占有空間が大きくなるとともに、上下の天板１０１と１０１同士の間に隙間１０５が存在して、見栄えが悪くなる問題がある。
【０００５】
そこで本発明は前記の課題を解決するテーブルを提供することを目的とするものである。
【０００６】
【課題を解決するための手段】
前記の課題を解決するために、請求項１記載の発明は、天板に支脚を折り畳み可能に備えたテーブルにおいて、天板における支脚が折り畳まれる側の縁部に、裏面側が開放された脚収納空間を形成し、該脚収納空間内に支脚を折り畳んで収納するようにしたことを特徴とするものである。
【０００７】
請求項２記載の発明は、前記請求項１記載の発明において、前記脚収納空間を、天板の端面を裏面側が内側へくぼんだ傾斜面にして形成し、支脚の横断面形状を、前記脚収納空間に収まる形状に形成したものである。
【０００８】
請求項３記載の発明は、前記請求項２記載の発明において、前記脚収納空間の横断面形状と前記支脚の横断面形状を、三角形にしたものである。
【０００９】
【発明の実施の形態】
本発明の好ましい実施の形態を図１乃至図７に示す実施例に基づいて説明する。
【００１０】
テーブル１を形成する天板２は方形に形成され、その四隅には支脚３が、図２の鎖線に示す起立状態と、実線で示す天板裏面への折り畳み状態とに起倒可能に備えられている。
【００１１】
前記支脚３が折り畳まれる側の天板２の縁部Ａ，Ｂ（前後端縁）の面は、図６に示すように、天板２の表面２ａ側が天板２の外側に突出し、天板２の裏面２ｂ側が天板２の内側にへこんだ空間形成面４に形成されている。すなわち折り畳まれた支脚３の軸芯と直交する方向での天板２の断面（図３におけるＥ−Ｅ線での横断面）において、天板２の表面２ａ側が天板の外側に突出し、天板２の裏面２ｂ側が天板２の内側にへこんだ空間形成面４に形成されている。
【００１２】
図の実施例では、図６に示すように、空間形成面４が、天板２の表面２ａ側が外側に、裏面２ｂ側が内側となるような傾斜面４に形成され、更に詳しくは表面２ａに対して略４５°の角度の面で形成されている。この空間形成面４により、天板２の縁部Ａ，Ｂ側において、天板２の厚みｔ１の範囲内において天板２の裏側に、図６の鎖線で示す脚収納空間５が、外側と裏面側（下側）が開放された状態で形成されている。この空間形成面４は、天板２の縁部Ａ，Ｂの全長にわたって形成されている。
【００１３】
前記テーブル２における前記縁部Ａ，Ｂと直交する側の縁部Ｃ，Ｄには図３乃至図５に示すように支軸６が水平状態に配置されており、該支軸６が支承部７で回転可能に支承されている。
【００１４】
前記支軸６の端部には連結部材８が、図５に示すように嵌合してビス９，１０で固着されており、支軸６とともに該支軸６を中心として回動するようになっている。該連結部材８はテーブル２の隅部、すなわち前記脚収納空間５の略延長線上におかれるように配置されている。
【００１５】
該連結部材８には、図５に示すように、前記支軸６と直交する方向に突出した支脚連結部１１が突設されており、該支脚連結部材１１に支脚３が嵌合して固着されている。したがって、支脚３は支軸６を中心に回転して前記天板２の脚収納空間５に沿って倒伏したり、また、起立させることができるようになっている。
【００１６】
前記支脚連結部８及び支脚３の横断面形状は、前記天板２の下部の脚収納空間５に収まる形状に形成されており、図の実施例では、図７に示すように、前記脚収納空間５に収まる三角形に形成されている。
【００１７】
なお、前記支承部７には、外部から手動で、回転軸６、すなわち支脚３の起立状態と倒伏状態を保持する保持手段（図示せず）が設けられている。
【００１８】
また、四隅の各支脚３は全て前記の断面形状と同一の形状で、かつ、同一構造で起倒するようになっている。
【００１９】
また、天板２における支軸６側の端部には、図２に示すようにカバー１３を設けて、支軸６部を被覆するようになっている。
【００２０】
以上の構造であるから、図１に示す起立状態の支脚３を、支軸６を中心として天板２の裏面側へ矢印方向に回転させて折り畳むと、その支脚３は、天板２の縁部Ａ，Ｂの下側に形成された脚収納空間５内に図２及び図７に示すように収まる。
【００２１】
したがって、支脚３は、天板２の板厚ｔ１内に収まって天板２の裏面の延長面より下方に突出せず、かつ、天板２の端縁２ｃ（図６，７参照）からの垂直面１２より内側に収まって端縁２ｃから外側へ突出しない。
【００２２】
そのため、支脚３を折り畳んだ状態のテーブルを複数個、積み重ねて蔵置した場合には、下側のテーブルにおける天板２の表面に、上側のテーブルにおける天板２の裏面が略密接した状態になり、その積み上げ高さは、前記従来のものと比較して極めて薄くなり、蔵置空間を少なくすることができる。
【００２３】
また、この積み重ね状態において、上側のテーブルと下側のテーブル間に隙間がほとんど無くなり、積み上げた状態での見栄えも前記従来のものよりも良くなる。更に天板２の表面側から見た場合に、支脚３が天板２に隠れるため、見栄えも良い。
【００２４】
なお、前記実施例においては、支脚３の横断面形状を三角形にしたが、楕円などのその他の形状にし、この形状に合わせて前記支脚収納空間５の形状を形成しても良い。
【００２５】
また、前記脚収納空間５は、裏側のみ開放された、すなわち、外側は被覆板で被覆された空間でも良い。
【００２６】
【発明の効果】
以上のようであるから本発明によれば、支脚を折り畳んだ場合に、支脚を天板側に設けた支脚収納空間に収めることができるので、支脚を折り畳んだ状態のテーブルを複数積み重ねた場合に、上下の天板相互を略密着接状態で積み重ねることができる。
【００２７】
そのため、支脚を折り畳んで蔵置したり搬送する場合での占有空間を従来のものと比べて少なくすることができる。
【００２８】
また、積み重ね状態において、天板相互の隙間がほとんど無くなり、かつ、天板の表面側から見た場合に支脚が天板で隠れるため、見栄えを良くすることができる。
【図面の簡単な説明】
【図１】本発明の実施例を示すテーブルの正面図。
【図２】図１のテーブルにおいて、支脚を折り畳んだ状態を示す斜視図。
【図３】図１のテーブルにおいて、支脚を起立させた状態での支脚の取付部品を示す斜視図。
【図４】図３において支脚を折り畳んだ状態を示す斜視図。
【図５】図３における縦断面図。
【図６】図３におけるＥ−Ｅ線断面図。
【図７】図４におけるＦ−Ｆ線断面図。
【図８】従来のテーブルを示す一部正面図。
【図９】図８のテーブルの積み重ね状態を示す図。
【符号の説明】
１    テーブル
２    天板
３    支脚
４    傾斜面
５    脚収納空間
Ａ，Ｂ    天板の縁部
【図１】
2004242721.tif 000003
【図２】
2004242721.tif 000004
【図３】
2004242721.tif 000005
【図４】
2004242721.tif 000006
【図５】
2004242721.tif 000007
【図６】
2004242721.tif 000008
【図７】
2004242721.tif 000009
【図８】
2004242721.tif 000010
【図９】
2004242721.tif 000011